(57)【要約】      （修正有）【課題】  機器の薄型化の制限や支持シャフトを挟んで扉板が開閉すべき挿入口の反対側のスペースの利用制限を極力少なくすることができる構造となるユニット体挿入口の扉板の開閉検出機構を提供することである。【解決手段】  支持シャフト２２ａ、２２ｂを軸にして揺動することにより挿入口１１の開閉を行う扉板２１の開閉検出機構であって、支持シャフト２２ａの端部に固定され、支持シャフト２２ａの延長方向外側の面がカム面３１となるカム部材３０と、検出スイッチ５０とを有し、検出スイッチ５０は、可動部５１がカム部材３０のカム面３１に当接するように配置され、カム面３１は、挿入口１１の閉鎖と開放との間での扉板２１の揺動に伴う支持シャフト２２ａの回動によってカム部材３０が回動する際に検出スイッチ５０の可動部５１を第１位置と第２位置との間で移動させる形状を有する構成となる。【選択図】  図４
2006302397.tif 000002
【特許請求の範囲】
【請求項１】
ユニット体の挿入口に設けられ、ユニット体の前記挿入口への押入れ及び前記挿入口からの引き出しに追従して支持シャフトを軸にして揺動することにより前記挿入口の開閉を行う扉板の開閉検出機構であって、
前記支持シャフトの端部に固定され、当該支持シャフトの延長方向外側の面がカム面となるカム部材と、
第１位置と第２位置との間で移動する可動部を備え、前記可動部の第１位置及び第２位置のそれぞれに応じた検出状態をとり得る検出スイッチとを有し、
前記検出スイッチは、前記可動部が前記カム部材の前記カム面に当接するように配置され、
前記カム面は、前記挿入口の閉鎖と開放との間での前記扉板の揺動に伴う前記支持シャフトの回動によってカム部材が回動する際に前記検出スイッチの前記可動部を前記第１位置と第２位置との間で移動させる形状を有することを特徴とするユニット体挿入口の扉板の開閉検出機構。
【請求項２】
前記カム面は、前記挿入口の閉鎖と開放との間での前記扉板の揺動に伴う前記支持シャフトの回動によって前記カム部材が回動する際に前記支持シャフトの軸方向に変位する形状を有することを特徴とするユニット体挿入口の扉板の開閉検出機構。
【請求項３】
前記検出スイッチの前記可動部は、一端部を中心にして前記第１位置と前記第２位置との間で揺動するレバーを有することを特徴とする請求項１または２記載のユニット体挿入口の扉板の開閉検出機構。
【請求項４】
前記検出スイッチは、前記レバーの揺動軌跡面が前記挿入口に略平行となるように配置されたことを特徴とする請求項３記載のユニット体挿入口の扉板の開閉検出機構。
【発明の詳細な説明】
【技術分野】
【０００１】
本発明は、カード状、カセット状、ディスク状の記録媒体やＰＣカード等のユニット体を用いる機器の前面パネル等に形成された前記ユニット体の挿入口に設けられる扉板の開閉検出機構に関する。
【背景技術】
【０００２】
従来、ビデオデッキの前面パネルに形成されたビデオカセット（ユニット体）の挿入口に設けられ、該ビデオカセットの該挿入口への押入れ及び前記挿入口からの引き出しに追従して前記挿入口の開閉を行うリッド（扉板）の開閉検出機構が提案されている（例えば、特許文献１参照）。この従来のビデオカセット挿入口のリッドの開閉検出機構は、図１２に示すように構成されている。
【０００３】
図１２において、ビデオデッキのキャビネット１の前方端部に前面パネル２が固定されており、前面パネル２の所定部位に挿入口２Ａが形成されている。前面パネル２の裏面側には、支持シャフト３Ａを軸にして揺動可能となるように支持されたリッド（扉板）３が設けられている。このリッド３は、ビデオカセット５の挿入口２Ａへの押し込み及び挿入口２Ａからの引き出しに追従して支持シャフト３Ａを軸にして揺動することにより挿入口２Ａの開閉を行う。
【０００４】
リミットスイッチ４がキャビネット１の天板内面に設けられている。リミットスイッチ４の設置位置は、ビデオカセット５が挿入口２Ａに押し入られてリッドが揺動して挿入口２Ａが開放された際に、リッド３にてリミットスイッチ４の操作子４Ａ（可動レバー）が押される位置に設定されている。リミットスイッチ４の操作子４Ａは通常第１位置（ＯＦＦ位置）にあり、リッド３にて押されることにより第２位置（ＯＮ位置）に移動する。
【０００５】
このようなビデオカセット挿入口の扉板の開閉検出機構では、リミットスイッチ４の操作子４Ａが第１位置（ＯＦＦ位置）にあるときに、リッド３が挿入口２Ａを閉鎖している状態であることを検出することができ、リミットスイッチ４の操作子４Ａが第２位置（ＯＮ位置）にあるときに、リッド３が挿入口２Ａを開放している状態であることを検出することができる。
【特許文献１】特開平１１−８６３７８号公報
【発明の開示】
【発明が解決しようとする課題】
【０００６】
しかしながら、このような従来のリッド３の開閉検出機構では、挿入口２Ａを開放した状態のリッド３の更に外側にリミットスイッチ４が設けられることから、支持シャフト３Ａを挟んでリッド３が開閉すべき挿入口２Ａの反対側にリミットスイッチ４の設置スペースに対応した無駄なスペース（図１２におけるＬ参照）が生じてしまう。このため、機器（ビデオデッキ）の薄型化が制限され、また、前記スペースの他の目的のための利用が制限されてしまう。
【０００７】
本発明は、このような従来の問題を解決するためになされたもので、機器の薄型化の制限や支持シャフトを挟んで扉板が開閉すべき挿入口の反対側のスペースの利用制限を極力少なくすることができる構造となるユニット体挿入口の扉板の開閉検出機構を提供するものである。
【課題を解決するための手段】
【０００８】
本発明に係るユニット体挿入口の扉板の開閉検出機構は、ユニット体の挿入口に設けられ、ユニット体の前記挿入口への押入れ及び前記挿入口からの引き出しに追従して支持シャフトを軸にして揺動することにより前記挿入口の開閉を行う扉板の開閉検出機構であって、前記支持シャフトの端部に固定され、当該支持シャフトの延長方向外側の面がカム面となるカム部材と、第１位置と第２位置との間で移動する可動部を備え、前記可動部の第１位置及び第２位置のそれぞれに応じた検出状態をとり得る検出スイッチとを有し、前記検出スイッチは、前記可動部が前記カム部材の前記カム面に当接するように配置され、前記カム面は、前記挿入口の閉鎖と開放との間での前記扉板の揺動に伴う前記支持シャフトの回動によってカム部材が回動する際に前記検出スイッチの前記可動部を前記第１位置と第２位置との間で移動させる形状を有する構成となる。
【０００９】
このような構成により、挿入口の閉鎖と開放との間で扉板の揺動による該扉板の支持シャフトの回動によってカム部材が回動する際に、該カム部材のカム面に当接する検出スイッチの可動部が第１位置と第２位置との間で移動する。従って、可動部の第１位置及び第２位置のいずれかに応じた検出スイッチの検出状態により、扉板が挿入口を閉鎖した状態及び開放した状態のいずれかを検出することができる。
【００１０】
扉板の支持シャフトの端部に設けられたカム部材がその支持シャフトの延長方向外側にカム面を有することから、該カム面に可動部の当接する検出スイッチを支持シャフトの延長方向から大きく離れることなく配置することができるようになる。
【００１１】
前記ユニット体は、その形状は特に限定されず、例えば、カード状、カセット状、ディスク状のいずれのものであってもよく、また、その機能も特に限定されず、例えば、ＣＤ、ＭＤ、カセットテープ、ビデオテープ、メモリカード等の記録媒体であっても、通信カード、ＰＣカードのようなものであってもよい。
【００１２】
また、本発明に係るユニット体挿入口の扉板の開閉検出機構は、前記カム面が、前記挿入口の閉鎖と開放との間での前記扉板の揺動に伴う前記支持シャフトの回動によって前記カム部材が回動する際に前記支持シャフトの軸方向に変位する形状を有する構成とすることができる。
【００１３】
このような構成により、挿入口の閉鎖と開放との間での扉板の揺動による支持シャフトの回動によって前記カム部材が回動する際に、カム面に当接する可動部が概ね前記支持シャフトの軸方向に移動するように検出スイッチを配置することができるようになる。このため、検出スイッチを支持シャフトの軸線により近づけることができるようになる。
【００１４】
また、本発明に係るユニット体挿入口の扉板の開閉検出機構は、前記検出スイッチの前記可動部は、一端部を中心にして前記第１位置と前記第２位置との間で揺動するレバーを有する構成とすることができる。
【００１５】
このような構成により、挿入口の閉鎖と開放との間で扉板の揺動による該扉板の支持シャフトの回動によってカム部材が回動する際に、該カム部材のカム面に当接する検出スイッチのレバーが一端部を中心にして第１位置と第２位置との間で揺動する。
【００１６】
更に、本発明に係るユニット体挿入口の扉板の開閉検出機構は、前記検出スイッチが、前記レバーの揺動軌跡面が前記挿入口に略平行となるように配置された構成とすることができる。
【００１７】
このような構成により、一端部を中心にして第１位置と第２位置との間で揺動する検出スイッチのレバーの当該揺動軌跡面が扉板にて閉鎖状態及び開放状態にされる挿入口に略水平となるので、挿入口の開閉を行う扉板の支持シャフトに交差する方向に前記検出スイッチのレバーの揺動スペースを確保しなくて済むようになる。
【発明の効果】
【００１８】
本発明に係るユニット体挿入口の扉板の開閉検出機構によれば、扉板の支持シャフトの端部に設けられたカム部材が、その支持シャフトの延長方向外側にカム面を有することから、該カム面に可動部の当接する検出スイッチを支持シャフトの延長方向から大きく離れることなく配置することができるようになるため、当該ユニット体を利用する機器の薄型化の制限や支持シャフトを挟んで扉板が開閉すべき挿入口の反対側の利用制限を極力少なくすることができるようになる。
【発明を実施するための最良の形態】
【００１９】
以下、本発明の実施の形態について、図面を用いて説明する。
【００２０】
本発明の実施の一形態に係るユニット体挿入口の扉板の開閉検出機構は、例えば、車載用のオーディオ・ナビゲーション装置に適用することができる。このオーディオ・ナビゲーション装置の前面パネルは、図１に示すように構成される。
【００２１】
図１において、前面パネル１０の上縁近傍の所定部位には、カード挿入口１１が形成されている。カード挿入口１１には、ＰＣカード（ユニット体）のカード挿入口１１への押入れ及びカード挿入口１１からの引き出し（紙面に垂直な方向での押入れ及び引き出し）に追従してカード挿入口１１の開閉を行う扉板２１が設けられている。カード挿入口１１の下方近傍部位にはＣＤ挿入口１２が形成され、更にＣＤ挿入口１２の下方近傍部位にはＤＶＤ挿入口１３が形成されている。なお、図示していないが、前面パネル１０の前面には開閉自在となる表示パネルが設けられており、表示パネルが開状態となると、前面パネル１０が露出するようになっている。
【００２２】
カード挿入口１１の扉板２１は、図２に示すような扉アッセンブリ２０の一部となっている。この扉アッセンブリ２０は、扉板２１と、扉板２１の下縁に沿って設けられた２つの支持シャフト２２ａ、２２ｂと、扉板２１の上縁所定部位に形成されたストッパ片２３とを有している。２つの支持シャフト２２ａ、２２ｂは、同じ軸線となるように配置され、一方の支持シャフト２２ａの端部に後述するようなカム面３１の形成されたカム部材３０が設けられている。
【００２３】
このような扉アッセンブリ２０が、図３に示すようにして表示パネル１０の裏面に取り付けられている。図３において、カード挿入口１１の下方所定部位に所定の間隔をもって配置された２つの支持部１４ａ、１４ｂが形成され、支持部１４ａが支持シャフト２２ａを回転自在に支持すると共に、支持部１４ｂが支持シャフト２２ｂを回転自在に支持する。これにより、扉板２１が支持シャフト２２ａ、２２ｂを軸にして揺動可能となる。
【００２４】
支持シャフト２２ａのカム部材３０が設けられた端部と逆側の端部にはコイル状のスプリング２５が巻き掛けられている。スプリング２５の一端部が扉板２１の裏面に係止されると共に、その他端部（図示略）が前面パネル１０の裏面に係止されている。このスプリング２５の捩れ力によって、支持シャフト２２ａ、２２ｂを軸にして揺動可能となる扉板２１がカード挿入口１１側に付勢されており、ストッパ片２３が前面パネル１０の裏面に突き当たることによって、扉板２１がカード挿入口１１を閉鎖する。
【００２５】
なお、支持シャフト２２ａの所定部位にはストッパ突起２４が形成され、このストッパ突起２４に対応した前面パネル１０の裏面部位には規制突起１５が形成されている。これにより、支持シャフト２２ａ、２２ｂを軸とした扉板２１の揺動範囲が、前述したストッパ片２３が前面パネル１０の裏面に突き当たる位置（カード挿入口１１の閉鎖状態）からストッパ突起２４が規制突起１５に突き当たる位置（カード挿入口１１の開放状態）までの範囲に規制される。
【００２６】
また、前面パネル１０の裏面には、図４乃至図６に示すように、カード挿入口１１（扉アッセンブリ２０）に隣接して回路基板４０が前面パネル１０の裏面に略平行となるように取り付けられる。回路基板４０は、扉板２１の支持シャフト２２ａの端部に設けられたカム部材３０に向けて延びる部分を有し、その部分に検出スイッチ５０が装着されている。検出スイッチ５０は、一端部を中心にしてオフ位置（解放位置：第１位置）とオン位置（押圧位置：第２位置）との間で揺動するレバー５１（可動部）を有しており、レバー５１のオフ位置及びオン位置のそれぞれに応じた検出状態をとり得る。
【００２７】
カム部材３０と検出スイッチ５０との相対的な位置関係及びカム部材３０のカム面３１の形状について詳細に説明する。
【００２８】
図２に示すように、カム部材３０は、支持シャフト２２ａの延長方向外側の面がカム面３１となっている。そして、図７に示すように、そのカム面３１にレバー５１が当接するように検出スイッチ５０が配置されている。更に、支持シャフト２２ａの延長方向から見ると、図８（ａ）、（ｂ）に示すように、検出スイッチ５０の本体が扉板２１にて開閉されるカード挿入口１１と略平行となっている。これにより、オフ位置とオン位置との間で揺動する検出スイッチ５０のレバー５１の当該揺動軌跡面（図８（ａ）、（ｂ）における紙面に略垂直な面）が、カード挿入口１１と略平行となる。
【００２９】
カム面３１は、図９（ａ）、（ｂ）に示すように、傾斜面を有し、カード挿入口１１の閉鎖（図９（ａ）参照）と開放（図９（ｂ）参照）との間での扉板２１の揺動に伴う支持シャフト２２ａの回動によってカム部材３０が回動する際に、支持シャフト２２ａの軸方向（図９における左右方向）の検出スイッチ５０側に張り出し、また、戻るように変位する形状となっている。扉板２１がカード挿入口１１を閉鎖する状態において（図９（ａ）参照）、検出スイッチ５０のレバー５１がオフ位置となってカム面３１の縁部に当接している。そして、扉板２１がカード挿入口１１を開放するように揺動する際に、検出スイッチ５０のレバー５１が、支持シャフト２２ａの軸方向の検出スイッチ５０側に張り出してくるカム面３１に当接した状態を維持しつつ押されてオン位置に至る（図９（ｂ）参照）。また、扉板２１がカード挿入口１１を開放する状態（図９（ｂ）参照）から閉鎖する状態（図９（ａ）参照）に戻る際に、検出スイッチ５０のレバー５１が、支持シャフト２２の軸方向の検出スイッチ５０側に張り出していた状態から元の状態に戻るカム面３１に当接した状態を維持しつつオフ位置に至る。
【００３０】
更に、カード挿入口１１の閉鎖と開放との間での扉板２１の揺動に伴う支持シャフト２２ａの回動によってカム部材３０が回動する際に、検出スイッチ５０のレバー５１は、図１０に示すカム面３１の第１有効カム面３１ａ（角度範囲Ａの斜線部分）及び第２有効カム面３１ｂ（角度範囲Ｂの斜線部分）上を摺動し、前述したようにオフ位置とオン位置との間で揺動する。レバー５１が第１有効カム面３１ａを摺動している間、検出スイッチ５０はオフ状態（SW OFF）になり、レバー５１が第２有効カム面３１ｂを摺動している間、検出スイッチ５０はオン状態（SW ON）になる。
【００３１】
前述したような扉板２１の開閉検出機構を有するオーディオ・ナビゲーション装置では、次のようにして扉板２１の開閉検出がなされる。
【００３２】
ＰＣカードがカード挿入口１１に挿入されていない場合、スプリング２５の捩れ力によってカード挿入口１１側に付勢される扉板２１は、ストッパ片２３が前面パネル１０の裏面に突き当てられた状態でカード挿入口１１を閉鎖する（図３乃至図６、図８（ａ）参照）。このとき、検出スイッチ５０のレバー５１は、カム部材３０のカム面３１における第１有効カム面３１ａ（図１０参照）に当接してオフ位置にあり（図９（ａ）参照）、検出スイッチ５０はオフ状態（SW OFF）となる。この検出スイッチ５０のオフ状態（SW OFF）によって扉板２１がカード挿入口１１を閉鎖していることを検出することができる。
【００３３】
ＰＣカードが扉板２１を押しつつカード挿入口１１に押し入られると、該ＰＣカードのカード挿入口１１への押入れに追従して扉板２１が支持シャフト２２ａ、２２ｂを軸にして前面パネル１０の内側に揺動する。そして、図１１に示すように、支持シャフト２２ａに形成されたストッパ突起２４が規制突起１５に突き当たって扉板２１がカード挿入口１１を完全に開放した状態となる（図８（ｂ）参照）。
【００３４】
このように扉板２１が前面パネル１０の内側に揺動してカード挿入口１１を開放する際に、扉板２１の揺動に伴う支持シャフト２２ａの回動によってカム部材３０が回動し、検出スイッチ５０のレバー５１が、検出スイッチ５０側に張り出してくるカム面３１における第１有効カム面３１ａ上を摺動して第２有効カム面３１ｂに移り（図１０参照）、オン位置に至る（図９（ｂ）参照）。これにより、検出スイッチ５０がオン状態（SW ON）となり、この検出スイッチ５０のオン状態（SW ON）によって扉板２１がカード挿入口１１を開放したことを検出することができる。
【００３５】
カード挿入口１１に挿入されたＰＣカードが引き出される際には、スプリング２５によって付勢されている扉板２１が当該ＰＣカードの引き出しに追従して支持シャフト２２ａ、２２ｂを軸にしてカード挿入口１１側に揺動する。そして、ストッパ片２３が前面パネル１０の裏面に突き当たって扉板２１がカード挿入口１１を閉鎖する（図３乃至図６、図８（ａ）参照）。
【００３６】
このように扉板２１がカード挿入口１０側に揺動してカード挿入口１１を閉鎖する際に、扉板２１の揺動に伴う支持シャフト２２ａの回動によってカム部材３０が回動し、検出スイッチ５０のレバー５１が、前述したように張り出した状態から元に戻るカム面３１における第２有効カム面３１ｂ上を摺動して第１有効カム面３１ａに移り（図１０参照）、オフ位置に戻る（図９（ａ）参照）。これにより、検出スイッチ５０がオフ状態（SW OFF）となり、この検出スイッチ５０のオフ状態（SW OFF）によって扉板２１がカード挿入口１１を閉鎖したことを検出することができる。
【００３７】
前述したような扉板２１の開閉検出機構によれば、支持シャフト２２ａの端部に設けられたカム部材３０が、支持シャフト２２ａの延長方向外側にカム面３１を有することから（図２、図７、図８、図９参照）、カム面３１にレバー５１の当接する検出スイッチ５０を支持シャフト２２ａの延長方向から大きく離れることなく配置することができるようになる。即ち、検出スイッチ５０を支持シャフト２２ａの軸線により近づけて配置することができるようになる。そのため、扉板２１の支持シャフト２２ａ、２２ｂの下方部位（図５、図６における下方向）、即ち、支持シャフト２２ａ、２２ｂを挟んで扉板２１が開閉すべきカード挿入口１１の反対側のスペースの利用制限が少なくなり、例えば、ＣＤ挿入口１２をカード挿入口１１により近づけて形成することが可能となる。また、当該オーディオ・ナビゲーション装置のより薄型化を図ることができるようになる。
【００３８】
更に、カム面３１が、カード挿入口１１の閉鎖（図９（ａ）参照）と開放（図９（ｂ）参照）との間での扉板２１の揺動による支持シャフト２２ａの回動によってカム部材３０が回動する際に、支持シャフト２２ａの軸方向の検出スイッチ５０側に張り出し、また、戻るように変位する形状を有することから、検出スイッチ５０を更に支持シャフト２２ａ、２２ｂの軸線に近づけることができるようになる。従って、支持シャフト２２ａ、２２ｂを挟んで扉体が開閉すべきカード挿入口１１の反対側のスペースの利用制限を更に少なくすることができるようになる。
【００３９】
また、更に、検出スイッチ５０の本体が前面パネル１０に形成されたカード挿入口１１に略平行に配置され、検出スイッチ５０のレバー５１の揺動軌跡面がカード挿入口１１に略平行となっているので（図８参照）、前面パネル１０に交差する方向（支持シャフト２２ａ、２２ｂに交差する方向）にレバー５１の揺動スペースを確保する必要がなく、当該オーディオ・ナビゲーション装置の奥行き方向の省スペース化を図ることができるようになる。
【００４０】
なお、前述した例は、ＰＣカードの挿入口となるカード挿入口１１の開閉を行う扉板２１の開閉検出機構であったが、本発明はこれに限られず、任意の形状（例えば、カード状、カセット状、ディスク状等）のユニット体の挿入口の開閉を行う扉板の開閉機構に適用することができる。
【００４１】
また、検出スイッチ５０は、レバー５１を有した構造のものであったが、第１位置と第２位置との間で移動可能な可動部を有するものであれば、任意の構造とすることができる。
【産業上の利用可能性】
【００４２】
以上、説明したように、本発明に係るユニット体挿入口の扉板の開閉検出機構は、機器の薄型化の制限や支持シャフトを挟んで扉板が開閉すべき挿入口の反対側のスペースの利用制限を極力少なくすることができるという効果を有し、カード状、カセット状、ディスク状の記録媒体やＰＣカード等のユニット体を用いる機器の前面パネル等に形成された前記ユニット体の挿入口に設けられる扉板の開閉検出機構として有用である。
【図面の簡単な説明】
【００４３】
【図１】本発明の実施の一形態に係る記録媒体挿入口の扉板の開閉検出機構が設けられる機器の前面パネルの表面外観を示す正面図である。
【図２】扉アッセンブリの構造を示す斜視図である。
【図３】扉アッセンブリが取り付けられた前面パネルの裏面を示す斜視図である。
【図４】扉板がカード挿入口を閉鎖する状態での検出スイッチの配置関係を示す前面パネル裏面の斜視図である。
【図５】扉板がカード挿入口を閉鎖する状態での検出スイッチの配置関係を示す前面パネル裏面の正面図である。
【図６】扉板がカード挿入口を閉鎖する状態での検出スイッチの配置関係を示す前面パネル裏面の正面拡大図である。
【図７】支持シャフトに設けられたカム部材と検出スイッチとの相対的な配置関係を示す分解斜視図である。
【図８】支持シャフトに設けられたカム部材と検出スイッチとの相対的な配置関係を示す側面図である。
【図９】支持シャフトに設けられたカム部材のカム面と検出スイッチのレバーとの相対的な位置関係を示す正面図である。
【図１０】検出スイッチのレバーが当接するカム面の部分を示す図である。
【図１１】扉板がカード挿入口を開放する状態での前面パネル裏面の部分斜視図である。
【図１２】従来の扉板の開閉検出機構を示す図である。
【符号の説明】
【００４４】
１０  前面パネル
１１  カード挿入口
１２  ＣＤ挿入口
１３  ＤＶＤ挿入口
１４ａ、１４ｂ  支持部
１５  規制突起
２０  扉アッセンブリ
２１  扉板
２２ａ、２２ｂ  支持シャフト
２３  ストッパ片
２４  ストッパ突起
２５  スプリング
３０  カム部材
３１  カム面
３１ａ  第１有効カム面
３１ｂ  第２有効カム面
４０  回路基板
５０  検出スイッチ
５１  レバー
【図１】
2006302397.tif 000003
【図２】
2006302397.tif 000004
【図３】
2006302397.tif 000005
【図４】
2006302397.tif 000006
【図５】
2006302397.tif 000007
【図６】
2006302397.tif 000008
【図７】
2006302397.tif 000009
【図８】
2006302397.tif 000010
【図９】
2006302397.tif 000011
【図１０】
2006302397.tif 000012
【図１１】
2006302397.tif 000013
【図１２】
2006302397.tif 000014